(57)【要約】      （修正有）【課題】ジャケットなどの衣類、特にその古着に用いられているツイード織物生地本来の特性を活かした個性的な鞄を提供する。【解決手段】ツイード織物生地のジャケット類から切り出された布片を、鞄の主部を形成している鞄本体４０の表地として用いられる。布片は、袖ボタン付きの袖口を含む袖部分３４であっても、ポケット付き前身頃部分であっても、衿を含む前身頃部分であってもよい。たとえば、袖部分３４や衿は、鞄の袋部４１などの「かぶせ４３」として用い得る。【選択図】図３
0003163007.tif 000002
【実用新案登録請求の範囲】
【請求項１】
織物生地の衣類から切り出された布片が、鞄の主部を形成している鞄本体の表地として用いられていることを特徴とする織物生地製鞄。
【請求項２】
上記織物生地の衣類から切り出された布片が、織物生地の衣類としてのジャケットから切り出されている請求項１に記載した織物生地製鞄。
【請求項３】
上記織物生地の衣類から切り出された布片が、ツイード織物生地の衣類としてのジャケットから切り出されている請求項１に記載した織物生地製鞄。
【請求項４】
上記織物生地の衣類から切り出された布片が、ジャケットなどの衣類の古着から切り出されている請求項１に記載した織物生地製鞄。
【請求項５】
上記織物生地の衣類から切り出された布片が上記衣類の袖ボタン付きの袖口を含む袖部分であって、その袖部分が、鞄本体の上記表地に設けられた袋部開口のかぶせとして用いられている請求項１乃至請求項４のいずれか１項に記載した織物生地製鞄。
【請求項６】
上記織物生地の衣類から切り出された布片が上記衣類のポケット付き前身頃部分であり、そのポケットがそのまま鞄本体の袋部として用いられている請求項１乃至請求項４のいずれか１項に記載した織物生地製鞄。
【請求項７】
上記織物生地の衣類から切り出された布片が上記衣類の衿を含む前身頃部分であり、その衿が、鞄本体の上記表地に設けられた袋部開口の被せ片として用いられている請求項１乃至請求項４のいずれか１項に記載した織物生地製鞄。
【請求項８】
上記織物生地の衣類から切り出された布片が、上記衣類のフロントカット部と前ボタン穴と脇ポケットとを含む裏地付きの前身頃部分であり、その前身頃部分が、鞄本体のかぶせとして用いられ、上記裏地がかぶせ裏として用いられ、上記脇ポケットが鞄本体の袋部として用いられている請求項１乃至請求項４のいずれか１項に記載した織物生地製鞄。
【考案の詳細な説明】
【技術分野】
【０００１】
本考案は、織物生地製鞄、特に、鞄の主部を形成している鞄本体の表地にツイード織物生地が用いられている織物生地製鞄に関する。
【背景技術】
【０００２】
ざっくりとして暖かな風合いの生地としてツイード（Ｔｗｅｅｄ）織物が知られている。特に、生産地であるハリス島から由来した「ハリスツイード」と称されているものは、羊毛の選別で生じる粗毛で「ケンプ」と呼ばれる死毛を用いた織り目の荒い肉厚のツイード織物生地である。このツイード織物生地は、白髪のような差し毛（さしげ）が混じった野趣に富む厚手の手紡ぎ、手織りの生地であり、手触りも粗く、ざっくりとした感じが魅力的であるとされている。このツイード織物生地は、男女共にジャケットやスーツ、コートなどの衣類に使われ、エレガンスとカジュアルといった相反する要素が共存するユーロスタイルの利かせ技となる素材ともいるものである。
【０００３】
その一方で、ハリスツイードは、１００年以上の伝統のあるブランド的要素を備えた織物生地であり、昔のような味わい深い生地そのものは現在では容易に入出することに困難がある。また、現在では、ハリスツイードが、ジャケットやスーツ、コートなどの衣類として残っているとしても、それらの衣類は、型が古かったり穴や汚れがあったりして実際には着用しにくいものが多いということも事実である。
【０００４】
ところで、タオルなどの布製品を、本来の用途とは異なる別の用途に再利用することは従来より多々行われている（たとえば、特許文献１参照）。また、所謂ジーパン生地をソフト鞄にリメークすることなども行われている。
【先行技術文献】
【特許文献】
【０００５】
【特許文献１】特開２００１−３５３１１９号
【考案の概要】
【考案が解決しようとする課題】
【０００６】
そこで、本考案者は、上記したハリスツイードなどのツイード織物生地などで作られているジャケットなどの衣類を鞄用の素材にリメークすることに着目した。したがって，本考案は、ジャケットなどの衣類、特にその古着に用いられているツイード織物生地本来の特性を活かし、かつ、ジャケットなどの衣類の各部位をそのまま利用した個性的な鞄を提供することを目的とする。
【課題を解決するための手段】
【０００７】
本考案に係る織物生地製鞄は、織物生地の衣類から切り出された布片が、鞄の主部を形成している鞄本体の表地として用いられている。また、織物生地の衣類から切り出された布片が、ジャケットから切り出され、鞄の主部を形成している鞄本体の表地として用いてもよい。
【０００８】
このような織物生地製鞄は、織物生地の衣類から切り出された布片が、そのまま鞄の主部を形成している鞄本体の表地として用いられることから、衣類或いはジャケットなどを構成する衣類の部分的な特徴部分、たとえば、袖ボタン付きの袖部分やポケット部分、或いは衿、前ボタン穴、フロントカット部の形状ないしデザインがそのまま鞄に引き継がれることにより、今までにない斬新なデザインの個性的な鞄を形成することができる。
【０００９】
また、本考案に係る織物生地製鞄は、織物生地の衣類から切り出された布片が、ツイード織物生地の衣類としてのジャケットから切り出されているものでもよい。
【００１０】
このような織物生地製鞄は、その表地が鞄本体の表地に用いられていることから、ツイード織物生地特有の風合いにより味わい深い独特の外観を持ち、耐久性にも優れている。このことは、皮革やツイード織物生地以外の他の布製の鞄との差別化を図る上で有益である。
【００１１】
さらに、本考案に係る織物生地製鞄は、織物生地の衣類から切り出された布片が、ジャケットなどの衣類の古着から切り出されたものでもよい。
【００１２】
織物生地の衣類から切り出された布片が、ジャケットなどの衣類の古着から切り出されたものにより構成されることにより、ジャケットなどのツイード織物生地の衣類やその古着から切り出された布片を鞄本体の表地に再利用している。
そのため、当該織物生地製鞄を製作する場合に、現在ではツイード織物生地そのものの入手が困難になっているとしても、比較的容易に鞄本体の表地を入手することが可能になる。また、鞄本体の表地に用いられているツイード織物生地が、それに特有の伝統的な風合いを醸し出すだけでなく、ツイード織物生地によって発揮される耐久性の良さが鞄に引き継がれるために、伝統的なざっくりとした風合いを持つ耐久性に優れた鞄を提供することが可能になる。
【００１３】
本考案では、上記布片が上記衣類の袖ボタン付きの袖口を含む袖部分であって、その袖部分が、鞄本体の上記表地に設けられた袋部開口のかぶせとして用いられているという構成、上記布片が上記衣類のポケット付き前身頃部分であり、そのポケットがそのまま鞄本体の袋部として用いられているという構成、上記布片が上記衣類の衿を含む前身頃部分であり、その衿が、鞄本体の上記表地に設けられた袋部開口の被せ片として用いられているという構成、を種々採用することが可能である。また、上記布片が、上記衣類のフロントカット部と前ボタン穴と脇ポケットとを含む裏地付きの前身頃部分であり、その前身頃部分が、鞄本体のかぶせとして用いられ、上記裏地がかぶせ裏として用いられ、上記脇ポケットが鞄本体の袋部として用いられている、という構成を採用することも可能である。
【００１４】
この本考案によれば、ツイード織物生地で作られているジャケットなどの衣類の部分的な特徴部分、たとえば、袖ボタン付きの袖部分、ポケットや衿、前ボタン穴、フロントカット部の形状ないしデザインがそのまま鞄に引き継がれることにより、今までにない斬新なデザインの個性的な鞄を提供することが可能になる。
【考案の効果】
【００１５】
本考案に係る織物生地製鞄は、織物生地の衣類から切り出された布片が、そのまま鞄の主部を形成している鞄本体の表地として用いられることから、衣類或いはジャケットなどを構成する衣類の部分的な特徴部分、たとえば、袖ボタン付きの袖部分やポケット部分、或いは衿、前ボタン穴、フロントカット部の形状ないしデザインがそのまま鞄に引き継がれることにより、今までにない斬新なデザインの個性的な鞄を形成することができる。
また、本考案によれば、鞄本体の表地に用いられているツイード織物生地が、それに特有の伝統的な風合いを醸し出すだけでなく、ツイード織物生地によって発揮される耐久性の良さが鞄に引き継がれるために、伝統的なざっくりとした風合いを持つ耐久性に優れた鞄を作り出すことができる。
【図面の簡単な説明】
【００１６】
【図１】ツイード織物生地で作られた衣類としてのジャケットを概略的に示した外観図である。
【図２】本考案の実施形態に係る織物生地製鞄としてのミニショルダーバッグの概略正面図である。
【図３】図２の鞄の外観を示した概略斜視図である。
【図４】本考案の他の実施形態に係る織物生地製鞄としてのメッセンジャーバッグの「かぶせ」を閉じた状態での概略正面図である。
【図５】図４の鞄の「かぶせ」を開いた状態での概略正面図である。
【図６】トートバッグとしての織物生地製鞄の表側部分を示した概略正面図である。
【図７】図６の鞄の裏側部分を示した概略背面図である。
【考案を実施するための形態】
【００１７】
図１はハリスツイードのようなツイード織物生地で作られた衣類としてのジャケットＡを概略的に示した外観図である。本考案に係る織物生地製鞄は、このような衣類としての一着のジャケットＡの縫製を必要に応じて解くこと、ジャケットＡの一部分を裁断して所定の大きさの布片を切り出すこと、切り出した布片に必要に応じて裏張りを施すこと、型に合わせてその布片を裁断すること、裁断した布片を縫製して鞄に仕上げること、などの工程を経て製作される。
【００１８】
図１に示したツイード織物生地で作られた衣類としてのジャケットＡには、一般的なジャケットに見られる多くの要素が備わっている。たとえば、衿１０が、衿縫い線としてのゴージライン１３の上側の上衿１１とゴージライン１３の下側の下衿１２とを左右に有している。また、前身頃２０には、胸ポケット２１、脇ポケット２２、前ボタン２３、ボタン穴２４が備わっていると共に、その前身頃２０の下部コーナ部分が湾曲形状のフロントカット２５によってデザイン化されている。そのほか、前身頃２０には、フロントダーツ２６や、脇ポケット２２の開き口を覆っている「かぶせ（冠）２７」が縫着されている。袖３０はスリーブトップ（袖山）３１を境として、前身頃２０の上部から延び出ており、袖口３２の近くの背側に袖ボタン３３が縫着されている。さらに、図示していないが、ジャケットＡの背側には、サイドシーム（脇縫い線）、ベンツ（馬乗り）、バックシーム（背縫い線）などが備わっている。
【００１９】
本考案に係る織物生地製鞄に用いるツイード織物生地で作られたジャケットＡは、古着であることが望ましい。これは、ツイード織物生地そのものが現今では入手困難な生地であること、古着としてのジャケットＡのツイード織物生地を再利用することによってツイード織物生地の入手が容易になること、古着としてのジャケットＡをリメイクに供し得ること、などの利点があることによる。
【００２０】
本考案に係る織物生地製鞄は、衣類としての一着のジャケットＡから切り出した布片を用いて作られる。そして、製作された織物生地製鞄の主部を形成している鞄本体の表地には、上記のように切り出されたツイード織物生地でなる布片が用いられている。
【００２１】
図２及び図３は本考案の実施形態に係る織物生地製鞄Ｂとしてのミニショルダーバッグを示していて、図２はその概略正面図、図３はその外観を示した概略斜視図である。
【００２２】
この鞄Ｂは、鞄本体４０が正面視略矩形に形成されていて、鞄本体４０の上部に図示されていない開閉ファスナーが備わり、鞄本体４０の外側に矩形の袋部４１が備わっている。袋部４１はその上部に開閉口を有し、その側部に襠４２を有していて、開閉口には「かぶせ４３」が縫着されている。４４は鞄本体４０に連結されている肩掛けベルトを示している。
【００２３】
図２及び図３のミニショルダーバッグとしての織物生地製鞄Ｂにおいて、鞄本体４０や袋部４１の表地には、図１のジャケットＡの所定箇所、たとえば背側部分から切り出されたツイード織物生地でなる布片が用いられている。また、「かぶせ４３」には、図１のジャケットＡの袖３０を裁断して切り出された「袖ボタン３３付きの袖口３２を含む袖部分３４」が横向きにして用いられている。すなわち、ジャケットＡの片側の袖３０のうち、袖ボタン３３付きの袖口３２を含む部分を一定長さに裁断して筒状の布片を切り出し、その布片を偏平な二つ折り形状に処理した後、それを鞄本体４０の表地に縫着することによって、上記袋部４１の開口を覆い隠す「かぶせ４３」として用いている。また、袋部４１と「かぶせ４３」とには、磁力吸着式の装飾性ボタン４５，４６が縫着されていて、「かぶせ４３」を閉じて袋部４１の開口を覆い隠したときに、それらの装飾性ボタン４５，４５が吸着するようになっている。
【００２４】
この実施形態に係る織物生地製鞄Ｂは、鞄本体４０や袋部４１の表地がツイード織物生地であるので、ツイード織物生地に特有の伝統的なざっくりとした風合いが醸し出され、また、ツイード織物生地の優れた耐久性がそのまま付与される。また、ジャケットＡの袖部分３４を「かぶせ４３」として用いていることにより、今までにない斬新なデザイン性が発揮され、ユーザにとっては自分だけの個性的なデザインの鞄として携行することが可能になる。
【００２５】
図４及び図５は本考案の他の実施形態に係る織物生地製鞄Ｃとしてのメッセンジャーバッグを示していて、図４は「かぶせ５３」を閉じた状態での概略正面図、図５は「かぶせ５３」を開いた状態での概略正面図である。
【００２６】
この鞄Ｃは、鞄本体５０が正面視略矩形に形成されていて、鞄本体５０の上部に図示されていない開閉口が備わっている。また、鞄本体５０の上部には、開閉口や鞄本体５０の外側部分を覆い隠すことのできる大きさの「かぶせ５３」の端部が縫着されている。５４は鞄本体５０に連結されているベルトを示している。
【００２７】
図４及び図５のメッセンジャーバッグバッグとしての織物生地製鞄Ｃにおいて、鞄本体５０の表地には、図１のジャケットＡの所定箇所、たとえば背側部分から切り出されたツイード織物生地でなる布片が用いられている。また、「かぶせ５３」には、図１のジャケットＡの「脇ポケット付き前身頃部分３５」を裁断して切り出された布片が用いられている。したがって、「かぶせ５３」には、ジャケットＡのフロントカット部２５やボタン穴２４がそのまま備わり、また、ジャケットＡの裏地２８も、「かぶせ５３」の裏地としてそのまま残っている。さらに、ジャケットＡの「脇ポケット２２付き前身頃部分２０」に備わっている脇ポケット２２が、「かぶせ５３」に具備された袋部５５としてそのまま備わり、脇ポケット２２の「かぶせ２７」が、袋部５５の開口を覆い隠す「かぶせ５６」としてそのまま備わっている。なお、鞄本体５０には、その上部の開閉口の中央部を閉じるためのバンド５７が設けられている。
【００２８】
この実施形態に係る織物生地製鞄Ｃにあっても、鞄本体５０や「かぶせ５３」の表地がツイード織物生地であるので、ツイード織物生地に特有の伝統的なざっくりとした風合いが醸し出され、また、ツイード織物生地の優れた耐久性がそのまま付与される。また、ジャケットＡの裏地２８が「かぶせ５３」の裏地にそのまま生かされているので、図５のように「かぶせ５３」を開いたときには、その裏地２８が外部から見えて、鞄にとってきわめて斬新なデザイン性が発揮される。さらに、「かぶせ５３」には、図４のように、ジャケットＡの脇ポケット２２が袋部５５としてそのまま具備され、脇ポケット２２の「かぶせ２７」が、袋部５５の開口を覆い隠す「かぶせ５６」としてそのまま具備されていることにより、今までにない斬新なデザイン性が発揮され、ユーザにとっては自分だけの個性的なデザインの鞄として携行することが可能になる。
【００２９】
図６及び図７は本考案のさらに他の実施形態に係る織物生地製鞄Ｄとしてのトートバッグを示していて、図６は鞄Ｄの表側部分を示した概略正面図、図７は鞄Ｄの裏側部分を示した概略背面図である。
【００３０】
この鞄Ｄは、鞄本体６０が正面視略矩形に形成されていて、鞄本体６０の上部に図示されていない開閉ファスナー又は開口が備わっている。また、鞄本体６０の表側部分には図６に示した袋部６１が設けられ、その裏側部分には図７に示した小さなポケット部６２が設けられている。６４は鞄本体６０に連結されているベルトを示している。
【００３１】
図６及び図７のトートバッグとしての織物生地製鞄Ｄにおいて、鞄本体６０の表地には、図１のジャケットＡの所定箇所、たとえば背側部分から切り出されたツイード織物生地でなる布片が用いられている。また、表側の袋部６１には、図１のジャケットＡの衿１０を含む前身頃部分３７を裁断して切り出された布片が用いられている。そして、ジャケットＡの衿１０が、袋部６１の開口を覆い隠す「かぶせ６３」としてそのまま用いられている。これに対し、裏側のポケット部６２には、ジャケットＡの前身頃部分３６に備わっている胸ポケット２１がそのまま用いられている。
【００３２】
この実施形態に係る織物生地製鞄Ｄにあっても、鞄本体６０や袋部６１の表地がツイード織物生地であるので、ツイード織物生地に特有の伝統的なざっくりとした風合いが醸し出され、また、ツイード織物生地の優れた耐久性がそのまま付与される。また、ジャケットＡの衿１０や胸ポケット２１が「かぶせ６３」やポケット部６２としてそのまま生かされているので、鞄にとって今までにない斬新なデザイン性が発揮され、ユーザにとっては自分だけの個性的なデザインの鞄として携行することが可能になる。
【００３３】
以上説明した各実施形態では、図１に示したジャケットＡの袖３０や前身頃２０、衿１０、脇ポケット２２、胸ポケット２１、袖ボタン３３、ボタン穴２４などをそのまま利用して鞄Ａ〜Ｄに斬新なデザインを付与した事例を説明したけれども、本考案のツイード織物生地製鞄では、ジャケットＡの他の要素、たとえば図１に示した前ボタン２３、フロントダーツ２６や、スリーブトップ（袖山）３１などを利用して当該鞄のデザインの斬新性を表現してもよい。
【００３４】
また、ツイード織物生地の衣類には、上記したジャケットＡのほか、ツイード織物生地製のスーツやコート類、ツイード織物生地製のズボンなどを採用することも可能であり、また、ツイード織物生地製でない他の織物生地製のジャケットやスーツやコート類、或いはズボンなどにより、織物生地製鞄を製作してもよい。
【符号の説明】
【００３５】
Ａ  ジャケット
Ｂ，Ｃ，Ｄ  織物生地製鞄
１０  衿
２０  前身頃
２１  胸ポケット
２２  脇ポケット
２４  前ボタン穴
２５  フロントカット部
２８  かぶせ裏地
３２  袖口
３３  袖ボタン
４０，５０，６０  鞄本体
４１，５５，６１  袋部
４３，５６，６３  かぶせ
【図１】
0003163007.tif 000003
【図２】
0003163007.tif 000004
【図３】
0003163007.tif 000005
【図４】
0003163007.tif 000006
【図５】
0003163007.tif 000007
【図６】
0003163007.tif 000008
【図７】
0003163007.tif 000009